(57)【要約】【課題】  使用者は様々な方向から画像の確認を行う場合、画像の表示方向を反転させる操作部が、使用者が目視している表示部の裏面にあるため、操作部を操作しにくい。【解決手段】  第１の操作部材が配置された操作部（２０４）と、表示面（２０２）および反対側の背面を有し開閉可能な表示部（２０１）と、操作部と表示部とを連結する回動部（２０７）であって、操作部に対して表示面を開閉可能に回動保持する第１の回動軸（２０５）と、表示部を開いた状態で回動可能であり、第１の回動軸に対して直交する第２の回動軸（２０６）とを有する回動部と、第２の操作部材が設けられた回動部格納部（２０９）を有し、表示部が操作部に対して正立した際に、第２の操作部材を設けた面（５０２）と表示部の底部（５０４）との間に、ユーザが第２の操作部材を操作可能な間隔（Ｌ１−Ｌ２）を設けた表示装置。【選択図】  図６
2013093723.tif 000002
【特許請求の範囲】
【請求項１】
第１の操作部材が配置された操作部と、
表示面および反対側の背面を有し開閉可能な表示部と、
前記操作部と前記表示部とを連結する回動部であって、前記操作部に対して前記表示面を開閉可能に回動保持する第１の回動軸と、前記表示部を開いた状態で回動可能であり、前記第１の回動軸に対して直交する第２の回動軸とを有する回動部と、
前記表示部が前記操作部に対して正立させた際に前記表示部の底部と対向する面に、第２の操作部材が設けられた回動部格納部を有し、
前記表示部が前記操作部に対して正立した際に、前記第２の操作部材を設けた面と前記表示部の底部との間に、ユーザが前記第２の操作部材を操作可能なように間隔を設けたことを特徴とする表示装置。
【請求項２】
前記第２の回動軸は、前記表示部の中心軸と平行であるが一致しないことを特徴とする請求項１に記載の表示装置。
【請求項３】
前記表示部を閉じた状態で、前記第２の操作部材を設けた面と前記表示部の背面とが同一平面上にあることを特徴とする請求項１または２に記載の表示装置。
【請求項４】
前記第２の操作部材は、前記表示部に表示する画像の向きを変更するためのスイッチであることを特徴とする請求項１ないし３のいずれか１項に記載の表示装置。
【請求項５】
請求項１ないし４のいずれか１項に記載の電子機器。
【請求項６】
請求項１ないし４のいずれか１項に記載の撮像装置。
【発明の詳細な説明】
【技術分野】
【０００１】
本発明は撮像画像やメニュー画面を表示するためのディスプレイなどの表示装置とそれを有する電子機器、撮像装置に関するものである。
【背景技術】
【０００２】
近年、デジタルスチルカメラやビデオカメラ等の撮像装置においては、撮像した画像やメニュー画面等を表示させる表示部（ディスプレイ）を備えたものが普及している。この表示部は、画像を視認しやすくするために画面サイズが大きな表示パネルが用いられるようになってきている。
これに伴って、表示部を使用者が見やすい角度に自由に変更できる撮像装置が提案されている（特許文献１）。また、その場合に使用者が任意に画像の表示方向を反転できる撮像装置が提案されている（特許文献２）。
【先行技術文献】
【特許文献】
【０００３】
【特許文献１】特開２００５−２１０６７７号
【特許文献２】特開２０１１−１０３５５１号
【発明の概要】
【発明が解決しようとする課題】
【０００４】
しかしながら、上記従来例では、使用者は様々な方向から画像の確認を行う場合、特に画像の表示方向を反転させる操作部が表示部の裏に配設されると、表示部を見ながら操作スイッチを操作しにくいという課題がある。
【課題を解決するための手段】
【０００５】
本発明の表示装置は、上記の課題を解決するために、第１の操作部材が配置された操作部と、表示面および反対側の背面を有し開閉可能な表示部と、前記操作部と前記表示部とを連結する回動部であって、前記操作部に対して前記表示面を開閉可能に回動保持する第１の回動軸と、前記表示部を開いた状態で回動可能であり、前記第１の回動軸に対して直交する第２の回動軸とを有する回動部と、前記表示部が前記操作部に対して正立させた際に前記表示部の底部と対向する面に、第２の操作部材が設けられた回動部格納部を有し、前記表示部が前記操作部に対して正立した際に、前記第２の操作部材を設けた面と前記表示部の底部との間に、ユーザが前記第２の操作部材を操作可能なように間隔を設けたことを特徴とする。
【発明の効果】
【０００６】
以上説明したように、本発明によれば、表示部が開いた状態でもユーザが操作スイッチを操作可能なように間隔を設けたため、表示部を見ながら操作スイッチを操作することが可能となる。
【図面の簡単な説明】
【０００７】
【図１】本発明の実施形態に係る表示装置を備えた撮像装置の斜視図である。
【図２】本発明の実施形態に係る表示装置（開位置）の斜視図である。
【図３】回動部２０７の機構を示す斜視図である。
【図４】（ａ）表示部２０１を閉じた表示面を操作部と対面するように格納した状態を示す斜視図である。（ｂ）表示部２０１を第１の回動軸周りに９０度回動させて正立させた状態を示す斜視図である。（ｃ）表示部２０１を第１の回動軸周りに１８０度回動させた状態を示す斜視図である。（ｄ）表示部２０１を第１の回動軸周りに２７０度回動させた状態を示す斜視図である。（ｅ）表示部２０１が正立した状態から、第２の回動軸周りに１８０度回動させた状態を示す斜視図である。
【図５】表示部２０１が正立した状態を示す側面図である。
【図６】表示部２０１が正立した状態を示す正面図である。
【図７】表示部２０１が正立した状態から、第２の回動軸周りに１８０度回動させた状態を示す正面図である。
【図８】表示制御スイッチ２１０を複数個配置した本発明の実施形態に係る表示装置の斜視図である。
【発明を実施するための形態】
【０００８】
以下、本発明に係る表示装置の構成を、図１−８を用いて詳細を説明する。
【０００９】
図１は本発明の実施形態に係る撮像装置であるデジタルカメラ１００の斜視図である。図２は本発明実施形態に係る撮像装置であるデジタルビデオカメラ１００に取り付けられている表示装置１０２の斜視図である。
【００１０】
図１において、撮像装置本体１０１は互いがそれぞれ嵌合した外装部材から構成されており、その内部に撮像素子（不図示）や基板、フレキシブル基板、板金部品、成型部品などの部品が収納されている。撮像装置本体１０１の上部には表示装置１０２が載置され、撮影者は撮像装置本体１０１で撮影される画像や映像を確認したり、記録媒体に記録された映像を表示したりすることができる。
【００１１】
表示装置１０２の構成について、図２を用いて説明する。表示装置１０２は、大きく分けて、画像や映像が表示される面である表示面２０２とその反対側の面である背面を有している表示部２０１と、第１の操作部材としての操作スイッチ群２０３などを配置した操作部２０４で構成されている。この表示部２０１は、第１の回動軸２０５、第２の回動軸２０６の互いに直交する２軸を有する回動部２０７により、２つの軸を回転中心として、回動可能である（詳細は後述する）。
【００１２】
操作部２０４は、操作スイッチ群２０３、回動部２０７が格納される回動部格納部２０９、回動部格納部２０９に配置された表示制御スイッチ２１０（第２の操作部材）、で構成されている。この表示制御スイッチ２１０は表示反転スイッチであり、表示面２０２に表示される画像や映像の表示の向きを変更するなどを制御するために、表示部２０１の姿勢に応じて使用者が選択的に表示を切り替えることができる。
【００１３】
＜回動部２０７の機構＞
図３（ａ）、（ｂ）は回動部２０７の機構を示す斜視図である。回動部２０７は、操作部２０４と表示部２０１とを連結し、操作部２０４に対して表示部２０１を開閉可能に回動保持する第１の回動軸２０５と、表示部２０１を開いた状態で回動可能であり、で第１の回動軸２０５に対して直交する第２の回動軸２０６とを有する。
【００１４】
回動部２０７は、操作部２０４に固定される操作部側固定部３０１、表示部２０１に固定される表示部側固定部３０２と、第１の回動軸２０５を中心に回動する回動部材３０３とで構成される。操作部側固定部３０１と回動部材３０３とは、第１のカシメ部３０４および第２のカシメ部３０５によって連結される。第１のカシメ部３０４の一部である第１カシメ部規制端３０４１は、回動部材３０３に設けられた規制部材３０６の第１の規制端３０６１と接触することで、第１の回動軸２０５を中心とした回動部材３０３の回動を規制する。
【００１５】
本実施例の場合、第１のカシメ部３０４の円弧状もしくは楕円形状の外周の一部を平面にカットすることで第１カシメ部規制端３０４１が形成される。そして、第１カシメ部規制端３０４１が第１の規制端３０６１と面接触することで、第１の回動軸２０５を中心とした回動部材３０３の回動の規制を行う。
【００１６】
また、回動部材３０３と表示部側固定部３０２は、第３のカシメ部３０８で連結される。この表示部側固定部３０２には表示部２０１に締結され、また第２の回動軸２０６を中心に回動する構造である。そして、第３のカシメ部３０８は表示部側固定部３０２の回動に連動して回動する。第３のカシメ部３０８の一部である第３カシメ部規制端３０８１は、回動部材３０３に設けられたの第２の規制端３０６２と接触することで第２の回動軸２０６を中心にした表示部側固定部３０２の回動を規制する。
【００１７】
本実施例の場合、第３のカシメ部３０８の円弧状もしくは楕円形状の外周の一部を平面にカットすることで第３カシメ部規制端３０８１が形成される。そして、第３カシメ部規制端３０８１と第２の規制端３０６１がと面接触することで、第２の回動軸２０６を中心にした表示部側固定部３０２の回動を規制する。
【００１８】
操作部２０４に対する表示部２０１の動作に関して説明する。
【００１９】
図４（ａ）は、表示部２０１の表示面２０２が操作部２０４と対面している状態、すなわち表示部２０１が閉じた状態を示す斜視図である。図４（ｂ）は、表示部２０１が閉じた状態から第１の回動軸２０５周りに９０度回動させた状態、すなわち表示部２０１が操作部２０４に対して正立した状態を示す斜視図である。図４（ｃ）は、表示部２０１が閉じた状態に対して第１の回動軸２０５周りに１８０度回動させた状態を示す斜視図である。図４（ｄ）は、表示部２０１が閉じた状態に対して第１の回動軸２０５周りに２７０度回動させた状態を示す斜視図である。図４（ｅ）は、表示部２０１が閉じた状態に対して第１の回動軸２０５周りに９０度、第２の回動軸２０６周りに１８０度回動させた状態を示す斜視図である。
【００２０】
図４（ａ）から図４（ｅ）まで示すように、使用者は表示面２０２を第１の回動軸２０５と第２の回動軸２０６周りに回動させて、表示面２０２をさまざまな向きに向けることが可能となる。よって、使用者は、表示面２０２を任意の方向に向けることによって、さまざまな方向から映像を確認することが可能となる。
【００２１】
＜表示制御スイッチ２１０の配置＞
図５は表示部２０１を閉じた状態から第１の回動軸２０５周りに９０度回動させた状態（表示部２０１が操作部２０４に対して正立した状態）を示す側面図である。図６は図５の場合の正面図である。図７は図５の場合から、さらに第２の回動軸２０６周りに１８０度回動させた状態を示す正面図である。図８は表示制御スイッチ２１０を複数個配置した表示装置１０２の斜視図である。
【００２２】
図５に示すように、回動部格納部２０９は、操作部２０４のうち操作スイッチ群２０３が配置された操作スイッチ配置面５０１の面上からオフセットされた位置に形成される。このとき、回動部格納部２０９を構成する面のうち、操作スイッチ配置面５０１に対して平行になる面を表示スイッチ配置領域５０２とし、操作スイッチ配置面５０１に対して略垂直となり、表示部２０１の底部と対向する面を表示部収納面５０３とする。
【００２３】
操作スイッチ配置面５０１と表示スイッチ配置領域５０２に対する垂直方向へのオフセット量（ＬＶ）は、表示部２０１の厚さ５０５によって決定される。これは表示部２０１を閉じたときに表示部２０１の背面側が、表示スイッチ配置領域５０２に対して高さ方向に著しく突出することがないようにするためである。たとえば、ＬＶは表示部２０１の厚さ５０５と同じであれば、表示面２０２の背面側と表示スイッチ配置領域５０２とが同一平面上にある。
【００２４】
また、回動部格納部２０９の操作スイッチ配置面５０１に対する水平方向へのオフセット量（ＬＨ）は、前述の高さ方向へのオフセット量と同様に、表示部２０１の厚さ５０５によって決定される。これは、図４（ａ）に示す閉じた状態から、図４（ｄ）に示すような第１の回動軸２０５を中心に表示部２０１を２７０度回転させた状態まで、表示部２０１が操作部２０４の側面部に接触することなく回転できるようにするためである。
【００２５】
たとえば、ＬＨは表示部２０１の厚さ５０５と同じであり、第１の回動軸２０５から表示スイッチ配置領域５０２までの距離（Ｌ２）がＬＶの半分、第１の回動軸２０５から操作部２０４の側面までの距離（Ｌ３）がＬＨの半分であるとする。このように設定すれば、第１の回動軸２０５を中心に表示部２０１を２７０度回転させたときに、表示部２０１が操作部２０４の側面部に接触することはない。
【００２６】
回動部格納部２０９の表示部収納面５０３の位置は、図４（ａ）に示す閉じた状態において、表示部収納面５０３と表示部下端５０４とのクリアランスが表示部２０１の回動に差し支えないような範囲になるように設定されている。たとえば、表示部収納面５０３の下部は表示部収納面５０３と表示部下端５０４とのクリアランスがほとんどゼロに設定される一方で、表示部収納面５０３の上部は表示部２０１の回転に合わせ、表示部下端５０４の軌跡に合わせて円弧状とすることが考えられる。また、全体的に円弧状やテーパ状であっても良いし、上部のみテーパ状としても良い。
【００２７】
そして、本実施形態においては、表示部２０１が操作部２０４に対して正立した状態で、撮影者（ユーザ）が表示スイッチ配置領域５０２に設けられた表示制御スイッチ２１０を操作可能となっている。具体的には、第１の回動軸２０５から表示部下端５０４までの距離（Ｌ１）と第１の回動軸２０５から表示スイッチ配置領域５０２までの距離（Ｌ２）の差分Ｌ１−Ｌ２は人の指が入る程度の間隔に設定される。
【００２８】
本実施例において、表示制御スイッチ２１０は、表示部２０１の姿勢に応じて表示面２０２への表示を、使用者が選択的に表示を切り替えることができる表示反転スイッチとした。しかし、表示面２０２への表示と非表示を切り替える表示ＯＮ／ＯＦＦスイッチ、表示部に表示されているアイコンの表示と非表示を切り替えるアイコンＯＮ／ＯＦＦスイッチでもよい。さらに、図８に示すように、表示スイッチ配置領域５０２を広く確保できるため、複数個の表示制御スイッチ２１０を配置してもよい。
【００２９】
また、図６に示すように、第２の回動軸２０６が表示部２０１（操作部２０４）の幅方向中心位置６０１に対して、Ｌ４だけ離れた位置（表示部２０１の中心軸と平行ではあるが一致しない位置）に配置されている。このような配置にすることで、例えば、図７のような表示部２０１の配置にした際に、表示スイッチ配置領域５０２を大きく取れるため、表示制御スイッチ２１０の操作性が向上する。
【００３０】
以上、説明したように、互いに直交する２軸周りの回動部を有する表示装置であって、表示部の回動によって生じたクリアランスを利用して操作スイッチを配置することで、表示部と使用者の位置に関わらず、操作スイッチを操作することが可能となる。
【００３１】
＜変形例＞
また、実施形態では、デジタルビデオカメラに用いられる表示装置として説明してきた。しかしながら、この表示装置をラップトップ型のパーソナルコンピュータや折り畳み式の携帯電話、ゲーム機器のような電子機器に当てはめることも可能である。たとえばラップトップ型のパーソナルコンピュータに当てはめた場合、操作部２０４にはキーボードやタッチパッドが配置される。またこの場合は、表示制御スイッチ２１０は必ずしも表示に関するものでなく、表示を確認しながら操作するスイッチであっても良い。
【００３２】
以上、本発明をその実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３３】
２０１  表示部
２０４  操作部
２０５  第１の回動軸
２０６  第２の回動軸
２０７  回動部
【図１】
2013093723.tif 000003
【図２】
2013093723.tif 000004
【図３】
2013093723.tif 000005
【図４】
2013093723.tif 000006
【図５】
2013093723.tif 000007
【図６】
2013093723.tif 000008
【図７】
2013093723.tif 000009
【図８】
2013093723.tif 000010